(57)【特許請求の範囲】
【請求項１】
ポールに差し込まれる袋状部を旗本体の一側に形成した旗であって、上記旗本体は上辺、下辺、側辺を有する三角状に形成され、上記袋状部は側辺に設けられ、この袋状部の内面の下端側に、ポールとの間で滑り止め作用のある滑り止め片を設け、上辺及び側辺に沿って心材が装着され、上記心材は針金であり、上辺に形成した差込部に挿入されていることを特徴とするゴルフ用旗。
【請求項２】
上記滑り止め片は、プラスチックシート材料で構成されている請求項１に記載のゴルフ用旗。
【発明の詳細な説明】
【技術分野】
【０００１】
本発明は、ゴルフ競技、特にグラウンドゴルフに好適に使用されるゴルフ用旗に関するものである。
【背景技術】
【０００２】
一般的に、グラウンドゴルフ用の旗は、四角形や三角形の旗本体の一側にポールを差し込むための袋状部を形成し、この袋状部の下端からポールの先端に差し込み、このポールをホールホストの上部に取り付けている (例えば特許文献１参照)。上記袋状部は、差し込みを容易にするため、ポールの外形との間に少し遊びを生じる程度の内径に形成されているから、風が吹くと、袋状部が収縮状態にたわんだり、上方にスライドして持ち上げられ、上方に吹き上げられた旗がポールから外れることが多い。そのため、通常は、風が吹いても吹き飛ばされないように旗の下端を紐でポールに縛り付けるようになっている。広告用の旗では、風が吹いたとき、上方に移動しないよう旗の下方に重りをつけたり、袋状部が蛇腹状に収縮変形しないよう袋状部の上端側に旗の高さ方向に沿って所定の幅を有する帯状の補強部材を設けた旗が提案されている(例えば特許文献２参照)。しかし、重りを設ける構造のは、部品点数が多くなるので、取扱いが不便であり、また、上端側に補強部材を設ける場合には製作が面倒で、かつポールを差し込むときにポールの先端が補強部材の下端に当たって差し込みにくかったり、補強部材が破れたり、小さく収納するときに補強部材が邪魔になるおそれがある。
【先行技術文献】
【特許文献】
【０００３】
【特許文献１】特開平１１−１５１３３３号公報（段落００１０、図１）
【特許文献２】特許第４５８７８６２公報（特許請求の範囲、段落００１９、００２０図１、図２）
【発明の概要】
【発明が解決しようとする課題】
【０００４】
本発明の解決課題は、グラウンドゴルフ等のゴルフ競技に好適に使用される旗であって、紐でポールに縛りつけなくても、風によって吹き飛ばされないようにしたゴルフ用旗を提供することである。
【課題を解決するための手段】
【０００５】
本発明によれば、ポールに差し込まれる袋状部を旗本体の一側に形成した旗であって、この袋状部の内面の下端側に、ポールとの間で滑り止め作用のある滑り止め片を設けたことを特徴とするゴルフ用旗が提供され、上記課題が解決される。
【０００６】
また、本発明によれば、上記旗本体は上辺、下片、側辺を有する三角状に形成され、上記袋状部は側辺に設けられ、上辺には、該上辺に沿って心材が装着されている上記ゴルフ用旗が提供される。
【発明の効果】
【０００７】
本発明は上記のように構成され、ポールに差し込まれる袋状部を旗本体の一側に形成したゴルフ用旗であって、この袋状部の内面の下端側に、ポールとの間で滑り止め作用のある滑り止め片を設けたので、風が吹いて旗本体が上方に吹き上げられると、旗本体が傾くことにより、滑り止め片はポールの周面に押し付けられる。通常の旗の場合には、旗本体は袋状部がポールに沿って滑りながら上昇する傾向になるが、本発明では、旗本体の上記滑り止め片がポールの周面に圧着されることにより、ポールと旗本体間に滑り止め作用が生じ、その結果、旗がポールから上方に抜け出しにくくなり、外れないようにすることができる。したがって、従来のような締付紐は不要となり、重り等を設ける必要もない。その上、滑り止め片を袋状部の全長にわたって設けると、ポールに差し込む際、ポールに滑り止め片が常に接する状態になるので、差し込みの支障になるおそれがあるが、本発明では、上記滑り止め片を袋状部の下端にのみ設けるようにしたので、差し込みの支障になることはない。
【０００８】
また、滑り止め片としては、好適には熱可塑性や熱硬化性のプラスチックシート材料で構成されることが多いが、そのような材料は耐候性に優れるとともに圧縮復元力があるから、滑り止め片を設けた袋状部の下端は滑り止め片により若干押し広げられた状態に開口し易くなり、ポールに差し込む際にスムーズにポールを袋状部に挿入することができる。
【０００９】
上記旗本体を上辺、側辺、下辺を有する三角形状に形成し、上辺に剛性のある心材を装着すると、心材を設けた上辺部分が膨出してくるので、旗が吹き上げられるとき、風を受けやすくなり、旗本体は袋状部の上端を中心として旋回しながら斜めになるから、上記滑り止め片はポールの周面に確実に圧着され、滑り止め作用を一層強化強固なものにすることができる。
【図面の簡単な説明】
【００１０】
【図１】本発明の一実施例を示し、使用状態を示す斜視図。
【図２】旗の正面図。
【図３】図３のＡ―Ａ線拡大断面図。
【図４】袋状部の下部の断面図。
【図５】図２のＢ−Ｂ線拡大断面図。
【図６】旗をポールに差し込んだ状態の説明図。
【図７】風が吹いた状態の説明図。
【発明を実施するための形態】
【００１１】
図１は本発明の一実施例を示し、グラウンドゴルフのホールポストの斜視図である。ホールポスト１は、円形状の大径の外側フレーム２とそれより小径の内側フレーム３を有し、両フレームを半径方向に延びる連結フレーム４で連結し、中央に設けたポール５に旗６を取り付けてある。
【００１２】
上記旗６は、旗本体７の形状を四角形状に形成することもできるが、図に示す実施例では、上辺８、側辺９及び下辺１０を有する三角形状に形成されている。また、旗本体の材料としては、ポリエステル素材の表面に塩化ビニールをコーティングしたターポリンで構成してあるが、ナイロン等のポリアミド系樹脂やポリエステル等のポリオレフィン系樹脂その他適宜の材料で構成することができる。
【００１３】
上記側辺９には、端縁を内方に折り返してその先端を旗本体に溶着１１することにより、上端が閉塞され、下端が開口する袋状部１２が形成されている。この袋状部１２の内面の下端側には、滑り止め片１３が設けられている。図に示す実施例において、該滑り止め片１３は、シリコンゴム系のプラスチックシート材料で構成してあるが、その他アクリル系、ウレタン系、ゴム系等の発泡若しくは未発泡の適宜の熱可塑性若しくは熱硬化性のプラスチック製の滑り止め材料で構成することができる。この滑り止め片は、袋状部の内面の周方向に沿って連続して設けることもできるが、好ましくは側辺９の外方側から上記ポールの外周の一部を覆う適宜の長さに形成し、滑り止め片の端部間に隙間が生じる状態に形成してある(図３参照)。側辺の長手方向に沿う滑り止め片の幅は約１０ｍｍ〜５０ｍｍ、好ましくは約２０ｍｍ〜３０ｍｍ程度に設けてある。図に示す実施例では、滑り止め片の周囲を上記旗本体に縫着１４してあるが、溶着、接着等により固定することもできる。なお、旗本体と滑り止め片を一体的に形成することもできる。
【００１４】
また、旗面に表示した数字等を見やすくするため、上記旗本体７の上辺８、側辺９には剛性のある針金等で構成した心材１５を装着してあり、旗本体が展開状態を維持できるようにしている。図に示す実施例では、図５に示すように、旗本体７の上辺８の縁部を折り返して旗本体に溶着１７することにより袋状の差込部１６を形成し、この差込部１６に心材１５を挿入してある。上辺８に挿通された心材１５の他端は、屈曲して側辺９の袋状部１２内に差し込まれている。
【００１５】
上記のように形成された旗６は、ポール５に差し込まれる。風が吹いていない状態では、図６に示すように、上記滑り止め片１３は、一部がポールに接したとしても、強く圧着されてはいない。しかし、風が強く吹いてくると、上記心材１５を挿入させるため上辺に形成した差込部１６に風が当たって旗本体７を斜め上方に旋回させるよう力が作用するから、図７に示すように、上記滑り止め片１３はポール５の外周に圧着され、確実に接触する。この滑り止め片１３による滑り止め作用で、旗本体７はポール５の周面に沿って滑り動かないようになり、旗６はポール５から外れにくくなる。
【符号の説明】
【００１６】
１    ホールポスト
５    ポール
６    旗
７    旗本体
１２  袋状部
１３  滑り止め片
１５  心材
１６差込部
【図１】
0006445931.tif 000002
【図２】
0006445931.tif 000003
【図３】
0006445931.tif 000004
【図４】
0006445931.tif 000005
【図５】
0006445931.tif 000006
【図６】
0006445931.tif 000007
【図７】
0006445931.tif 000008